(57)【要約】【課題】  調光機能を有して、違和感なく点灯することが可能で、さらに、ＨＩＤが立ち消えたり、ちらついたりすることのない放電灯点灯装置を提供する。【解決手段】  電源と、電源電圧を変換する電力変換装置と、放電灯を始動させる始動回路と、出力電力を制御する電力制御部と、放電灯の光束を調光する調光部と、を備え、電力制御部は、定格時始動電力を出力させて、定格時安定電力まで連続的に移行する定格時移行電力を出力させる過渡電力制御手段と、定格時安定電力を保持する安定点灯手段を有してなり、調光信号を受けたときには調光時安定電力まで低減する調光手段を有してなる放電灯点灯装置において、電力制御部は、定格時始動電力以下の調光時始動電力を出力させて、この後に調光時安定電力まで連続的に移行する調光時移行時電力を出力させる調光時過渡電力制御手段と、調光時安定電力を保持する調光時安定点灯手段を有する。【選択図】図１
2005100787.tif 000002
【特許請求の範囲】
【請求項１】
電源と、前記電源の電圧を放電灯が必要とする電圧に変換する電力変換装置と、前記電力変換装置の出力を受けて前記放電灯を点灯始動させる始動回路と、前記電力変換装置の出力電力を制御する電力制御部と、安定点灯した時の前記放電灯の光束を調光する調光部と、を備えてなり、
前記電力制御部は、前記電力変換装置から前記放電灯の点灯始動時に定格時始動電力を出力させて、この後に前記放電灯の安定点灯時の定格時安定電力まで連続的に移行する定格時移行電力を出力させる過渡電力制御手段と、前記定格時安定電力を保持する安定点灯手段を有してなり、調光信号を受けたときには安定点灯時の出力電力を前記定格時安定電力よりも小さい調光時安定電力まで低減する調光手段を有してなる放電灯点灯装置において、
前記電力制御部は、前記定格時始動電力以下の調光時始動電力を出力させて、この後に前記調光時安定電力まで連続的に移行する調光時移行時電力を出力させる調光時過渡電力制御手段と、前記調光時安定電力を保持する調光時安定点灯手段を有してなることを特徴とする放電灯点灯装置。
【請求項２】
前記調光時始動電力は、前記調光時移行電力を経て前記調光時安定電力で前記放電灯を安定して点灯させることのできる電力であることを特徴とする請求項１記載の放電灯点灯装置。
【請求項３】
前記調光時始動電力は、前記定格時安定電力よりも大きな電力であることを特徴とする請求項１又は請求項２に記載の放電灯点灯装置。
【請求項４】
前記電力制御部は、前記調光時始動電力を出力させて、この後に前記調光時安定電力まで一定の減少率で出力電力を低減するように調光時移行電力を出力させる調光時過渡電力制御手段を有してなることを特徴とする請求項１乃至請求項３のいずれかに記載の放電灯点灯装置。
【請求項５】
前記電力制御部は、前記調光時始動電力を出力させて、この後に前記調光時安定電力まで一定の減少率で連続的に移行する調光時移行時電力を出力させて、この後に所定の閾値移行電力よりも低電力となった時には、前記調光時安定電力まで前記一定の減少率よりも小さい第２の減少率で出力電力を低減するように調光時移行電力を出力させる調光時過渡電力制御手段を有してなることを特徴とする請求項１乃至請求項３のいずれかに記載の放電灯点灯装置。
【請求項６】
前記閾値移行電力は前記放電灯の電圧により可変であることを特徴とする請求項５に記載の放電灯点灯装置。
【請求項７】
前記電力制御部は、前記調光時始動電力を出力させて、この後に前記調光時安定電力まで時間の経過とともに減少率が小さくなるように低減するように調光時移行電力を出力させる調光時過渡電力制御手段を有してなることを特徴とする請求項１乃至請求項３のいずれかに記載の放電灯点灯装置。
【請求項８】
前記電力制御部は、前記調光時始動電力を出力させる時間を前記調光時安定電力に応じて可変できる調光時過渡電力制御手段を有してなることを特徴とする請求項４乃至請求項７のいずれかに記載の放電灯点灯装置。
【請求項９】
前記電力制御部は、前記調光時始動電力を出力させる時間を前記調光時安定電力に応じて曲線的に可変できる調光時過渡電力制御手段を有してなることを特徴とする請求項８に記載の放電灯点灯装置。
【請求項１０】
前記電力制御部は、前記調光時安定電力と前記定格時安定電力との比率に応じて、前記調光時始動電力と前記調光時移行電力を出力する調光時過渡電力制御手段を有してなるものであることを特徴とする請求項１乃至請求項９のいずれかに記載の放電灯点灯装置。
【請求項１１】
前記電力制御部は、前記調光時安定電力を前記放電灯が立ち消え又はチラツキが発生しない電力以上とする調光時安定点灯手段を有してなるものであることを特徴とする請求項１乃至請求項１０のいずれかに記載の放電灯点灯装置。
【請求項１２】
前記調光時安定電力は、前記放電灯のランプ電圧により可変であることを特徴とする請求項１１に記載の放電灯点灯装置。
【請求項１３】
前記電力制御部は、前記電力変換装置が動作を停止する直前の安定点灯電力又は調光信号を保存し、再始動時には前記安定点灯時電力又は前記調光信号に応じて、再始動直後の調光時始動電力及び調光時移行電力を変化させる調光時過渡電力制御手段を有してなることを特徴とする請求項１乃至請求項１２のいずれかに記載の放電灯点灯装置。
【請求項１４】
前記電力制御部は、前記電力変換装置が動作を停止する直前の安定点灯電力又は調光信号を保存し、再始動時には前記安定点灯時電力又は前記調光信号と、動作停止時間に応じて、再始動直後の調光時始動電力及び調光時移行電力を変化させる調光時過渡電力制御手段を有してなることを特徴とする請求項１乃至請求項１３のいずれかに記載の放電灯点灯装置。
【発明の詳細な説明】
【技術分野】
【０００１】
本発明は、メタルハライドランプ等の高輝度放電灯（ＨＩＤ）の放電灯点灯装置に関するものである。
【背景技術】
【０００２】
従来、ＨＩＤは、ランプ温度が冷えている場合には、電力を入力した始動時から安定して点灯するまでの時間がかかることが問題となっていた。このことを解決して、短時間で点灯させるための放電灯点灯装置が特開平９―８２４８０号公報、特開２００２−２３５８９９号公報や特開２００１−２８４０９４号公報に開示されている。このものは、図３０に示すように、電源電圧をＨＩＤ５が必要とする電圧レベルに変換する電力変換装置と、前記電力変換装置の出力を受けてＨＩＤ５を始動点灯させる始動回路とを備えている。電力変換装置は、電源１の電圧を変換するコンバータ２と、このコンバータ２からの電圧を矩形波電圧に変換するインバータ３と、コンバータ２の出力電力を制御する電力制御部７とからなっている。また、始動回路は始動時に高圧電圧を発生させるイグナイタ４である。この放電灯点灯装置の電力を入力した始動時から、安定して点灯するまで電力の時間的変化を図３１に示す。まず、安定点灯時の定格時安定電力よりも大きな電力である定格時始動電力を出力させて、この後にＨＩＤ５の安定点灯時の定格時安定電力まで連続的に移行する定格時移行電力を出力させて、この後に定格時安定電力を保持することにより、ＨＩＤ５を短時間で点灯させることを実現させている。
【特許文献１】特開平９―８２４８０号公報
【特許文献２】特開２００２−２３５８９９号公報
【特許文献３】特開２００１−２８４０９４号公報
【発明の開示】
【発明が解決しようとする課題】
【０００３】
しかしながら、放電灯点灯装置で調光を実施する場合において、一度定格時安定電力でＨＩＤを安定に点灯させた後に、電力を低減させることにより調光させると、一度ＨＩＤがまぶしく輝いた後にやや暗くなるという違和感を感じさせていた。さらに、この場合にはＨＩＤのランプ寿命が短くるという問題を生じていた。一方、調光時始動電力や調光時移行電力をを小さくすると、ＨＩＤが立ち消えたり、ちらついたりするという問題を生じていた。
【０００４】
本発明は、かかる事由に鑑みてなしたもので、その目的とするところは、調光機能を有して、違和感のない点灯をすることが可能で、さらに、ＨＩＤが立ち消えたり、ちらついたりすることのない放電灯点灯装置を提供することにある。
【課題を解決するための手段】
【０００５】
上記課題を解決するために、本願発明の放電灯点灯装置は、電源と、前記電源の電圧を放電灯が必要とする電圧に変換する電力変換装置と、前記電力変換装置の出力を受けて前記放電灯を始動させる始動回路と、前記電力変換装置の出力電力を制御する電力制御部と、安定点灯した時の前記放電灯の光束を調光する調光部と、を備えてなり、前記電力制御部は、前記電力変換装置から前記放電灯の点灯始動時に定格時始動電力を出力させて、この後に前記放電灯の安定点灯時の定格時安定電力まで連続的に移行する定格時移行電力を出力させる過渡電力制御手段と、前記定格時安定電力を保持する安定点灯手段を有してなり、調光信号を受けたときには安定点灯時の出力電力を前記定格時安定電力よりも小さい調光時安定電力まで低減する調光手段を有してなる放電灯点灯装置において、前記電力制御部は、前記定格時始動電力以下の調光時始動電力を出力させて、この後に前記調光時安定電力まで連続的に移行する調光時移行時電力を出力させる調光時過渡電力制御手段と、前記調光時安定電力を保持する調光時安定点灯手段を有してなる。
【発明の効果】
【０００６】
本願発明の放電灯点灯装置の電力制御部は、定格時始動電力以下の調光時始動電力を出力させて、この後に調光時安定電力まで連続的に移行する調光時移行時電力を出力させる調光時過渡電力制御手段と、調光時安定電力を保持する調光時安定点灯手段を有してなるので、調光機能を有して、違和感のない点灯をすることが可能で、さらに、ＨＩＤが立ち消えたり、ちらついたりすることのない放電灯点灯装置を提供する。
【発明を実施するための最良の形態】
【０００７】
（実施形態１）
本実施形態の放電灯点灯装置を図１、２に基づいて説明する。本実施形態の放電灯点灯装置は、図１に示すように、電力部分は、電源（電池）１と、コンバータ（ＤＣ―ＤＣコンバータ）２と、インバータ３と、イグナイタ４と、ＨＩＤ（放電灯）５と、電源電圧監視部６と、電力制御部７と、を具備している。ここで、電源１の電圧をＨＩＤが必要とする電圧レベルに変換する電力変換装置は、電源電圧を変換するインバータ２と、このインバータからの電圧を矩形波電圧に変換するインバータ４とから構成されている。また、電力変換装置の出力を受けてＨＩＤ５を始動させる始動回路は、始動時に高圧電圧を発生させるイグナイタ４によって構成されている。
【０００８】
まず、所定の調光信号が出力される状態で、放電灯点灯装置の電源スイッチをＯＮすると、イグナイタ４によって発生した数10ｋＶの高圧電圧がＨＩＤ５に印加される。そして、ＨＩＤ５の電極間の絶縁がブレークダウンしてアーク放電を起こす。図２（ｂ）に示すように、この後の始動状態で、電力制御部７の調光時過渡電力制御手段により、コンバータ２から調光時始動電力が出力されて、ＨＩＤ５は放電を継続して点灯する。この調光時始動電力が所定時間出力された後に、ＨＩＤ５へ出力電力を低減させて（調光時移行電力）、調光時安定電力へと移行する。この安定した点灯状態で、電力制御部７の調光時安定点灯手段により、調光時安定電力にコンバータ２からの出力電力を保持することにより、安定点灯を定常的に継続させる。このように、ＨＩＤ５の始動点灯から安定点灯までの過渡状態に所定過渡電力を出力させた後に、安定点灯時電力へ出力を移行させているように、コンバータ２を制御させるのが、電力制御部７である。さらに、安定点灯時にＨＩＤ５の光束を調節するのが調光部９である。以下に、電力制御部７と調光部９について説明する。
【０００９】
まず、電力制御部７は、電力指令発生部７１、電流指令演算部７２、最大電流制限部７３、誤差アンプ７４、最大電力制限部７５、最小電力制限部７７とによって構成されている。まず、電力指令発生部７１は電力指令発生値を出力するものであり、電源電圧監視部６からの点灯許可信号によりＯＮ／ＯＦＦされる定電流回路を介して、電力指令発生値を最小電力制限部７７に出力している。電力指令発生部７１は、図２（ａ）に示すような、時間経過によって直線的に低減する電力指令発生値を発生させるものであり、マイコン等のデジタル回路によっても、コンデンサ、抵抗、トランジスタを組合せたアナログ回路によっても実現可能である。この電力指令発生値を最小電力制限部７７に入力して、電力指令発生値の最小値を制限した数値を下限制限出力電力指令値として最大電力制限部７５に出力する。
【００１０】
さらに、最大電力制限部７５で最大出力電力を制限した数値を電流指令演算部７２に入力させている。そして、電流指令演算部７２では、検出した出力電圧を用いて出力電流に換算した出力電力指令値を最大電流制限部７３に出力する。そして、最大電流制限部７３で出力電流の最大値を制限した出力電力指令値が決められる。この出力電力指令値と実際に検知したコンバータ２の出力電流とを誤差アンプ７４で比較して、この誤差量に応じた出力制御信号により、コンバータ２の出力電流を制御している。このような電力制御部７の調光時過渡電力制御手段を用いて、コンバータ２の出力電力を制御することにより、ＨＩＤ５への出力電力を調光時始動電力から調光時移行電力を経て調光時安定電力へと移行させて、立ち消え等がないように安定に点灯させている。さらに、ＨＩＤ５が安定点灯した後は、調光部９からの調光信号によって最小電力制限部７４で決められる出力電力指令値に応じた調光時安定電力が、コンバータ２から出力され続けられる。このような調光時安定点灯手段により、ＨＩＤ５安定した点灯を維持する。つまり、最大光束であるＦＵＬＬ点灯から、最小光束であるＤＩＭ点灯へと、調光部９からの調光信号によって光束を変化させると、図２（ｂ）の（ａ）→（ｂ）→（ｃ）→（ｄ）のように、ＨＩＤ５への出力電力指令値が変化して、これに比例した電力がコンバータ２からの出力される。
【００１１】
ここで、調光時のＦＵＬＬ点灯において、始動時から１５分後のＨＩＤ５の光束を１００％としたとき、立ち消えやチラツキをおこさないようにするためには、以下のような光束を与えるように、ＨＩＤ５へ電力を出力する必要がある。
始動後１秒以上４秒以内    ２５〜１５０％
始動後４秒以上            ８０〜１３０％
本実施形態の放電灯点灯装置の電力制御部は、定格時始動電力以下の調光時始動電力を出力させて、この後に調光時安定電力まで連続的に移行する調光時移行時電力を出力させる調光時過渡電力制御手段と、前記調光時安定電力を保持する調光時安定点灯手段を有しているので、調光した場合であっても、ＨＩＤが立ち消えたり、ちらついたりすることがなくなる。
【００１２】
また、調光時始動電力は、前記調光時移行電力を経て前記調光時安定電力で前記放電灯を安定して点灯させることのできる電力であるので、最小光束の状態まで調光した場合でも、ＨＩＤを安定に点灯させることができる。
【００１３】
さらに、調光時始動電力は、前記定格時安定電力よりも大きな電力であるので、最小光束の状態まで調光した場合でも、最初の点灯時に一度ＨＩＤがまぶしく輝いた後にやや暗くなることで、違和感を感じさせることがなくなる。
【００１４】
加えて、電力制御部は、過渡状態では定格時安定電力よりも大きな電力を所定時間出力した後、安定点灯時電力に向かって一定の減少率で電力を低減して、安定点灯時電力に移行することができるものであるので、各種光束に調光した場合であっても、最初の点灯時に一度ＨＩＤがまぶしく輝いた後にやや暗くなることで、違和感を感じさせることがなくなる。
【００１５】
加えて、電力制御部は、調光時始動電力を出力させて、この後に調光時安定電力まで一定の時間的減少率で出力電力を低減するように調光時移行電力を出力させる調光時過渡電力制御手段を有してなるので、各種光束に調光した場合であっても、最初の点灯時に一度ＨＩＤがまぶしく輝いた後にやや暗くなることで、違和感を感じさせることがなくなる。
【００１６】
（実施形態２）
実施形態２の放電灯点灯装置を図３〜５に基づいて説明する。本実施形態の放電灯点灯装置のブロック図は、実施形態１のものと略同じなので省略する。本実施形態の調光時過渡電力制御手段では、電力指令発生部７１から出力される電力指令発生値の時間的変化が実施形態１と異なっている。電力指令発生値は、図３（ａ）に示すように、第１の減少率で所定の時間まで、減少した後に、第２の減少率で減少していく。この結果として、出力電力指令値は、図３（ｂ）の太線に示すように、調光時始動電力に対応した数値を所定時間保持した後、電力指令発生値に対応して減少していく。この後に、所定の閾値電力対応値まで減少すると、この後は電力の減少率が小さくなってさらに減少する。そして、所定の調光時安定電力対応値に達すると、その数値を保持するようになる。つまり、調光信号による調光時安定電力が閾値電力以上のとき（図３（ｂ）では、（ａ）と（ｂ）が対応）は、実施形態１と同じ時間的変化をする。これにに対して、調光信号による最小電力が閾値電力以下のとき（図３（ｂ）では、（ｃ）と（ｄ）が対応）は、２段階に減少の仕方をするようになる。コンバータ２は、図３（ｂ）の太線に示す出力電力指令値に比例した電力を出力することになる。
【００１７】
本実施形態の放電灯点灯装置の電力制御部は、調光時始動電力を出力させて、この後に前記調光時安定電力まで一定の減少率で連続的に移行する調光時移行時電力を出力させて、この後に所定の閾値移行電力よりも低電力となった時には、前記調光時安定電力まで前記一定の減少率よりも小さい時間的減少率で出力電力を低減するように調光時移行電力を出力させる調光時過渡電力制御手段を有しているので、調光時の立ち消えやチラツキの発生をさらに抑制することができる。
【００１８】
さらに、本実施形態の放電灯点灯装置の電力制御部に、図４に示すような、ＨＩＤ５のランプ電圧と閾値電力との関係によって出力電力を変化させるような調光時過渡電力制御手段を付加させる。このことにより、電力指令発生値は図５（ａ）に示すように、出力電力指令値は、図５（ｂ）の太線に示すように、前述した本実施形態の放電灯点灯装置のものよりも、ＨＩＤのランプ電圧によらず、緩やかに時間的に変化することになる。
【００１９】
本実施形態の放電灯点灯装置、閾値電力はＨＩＤのランプ電圧の電圧により可変であるので、ＨＩＤのランプ電圧によらず、調光時の立ち消えやチラツキの発生をさらに抑制することができる。
【００２０】
（実施形態３）
実施形態３の放電灯点灯装置を図６、７に基づいて説明する。本実施形態の放電灯点灯装置のブロック図は、実施形態１のものと略同じであるが、図６に示すように、電力制御部７において、電力指令発生部７１の後ろ側に電力指令演算部ＤＩＭ７８が付加され、最大電力制限部の代わりに最小電力指令部７６が付加されていることが相異する。本実施形態の電力指令発生部７１で発生させる電力指令発生値は、従来の放電灯点灯装置と同様に図７（ａ）に示すように、曲線的に（つまり、減少率は時間の経過とともに減少していくように）減少していき、所定値に達すると、この数値を保持する。そして、この出力電力指令値に比例して、コンバータ２は電力を出力する。
【００２１】
本実施形態の放電灯点灯装置の電力制御部は、調光時始動電力を出力させて、この後に調光時安定電力まで時間の経過とともに時間的減少率が小さくなるように低減するように調光時移行電力を出力させる調光時過渡電力制御手段を有しているので、短時間で電力を減少させることができる。したがって、安定点灯するまでの時間を短くすることができる。
【００２２】
（実施形態４）
実施形態４の放電灯点灯装置を図８〜１１に基づいて説明する。本実施形態の放電灯点灯装置は、実施形態１のものと略同じであるが、図８に示すように、電力指令発生部、電力指令演算部、最大電力制限部、電流指令演算部、最大電流制御部、誤差アンプの動作・機能をマイコンを用いた電力制御部８によって実施していることが相異している。この電力制御部８のマイコンは、図９に示すようなフローチャートの動作をする。つまり、図１０（а）に示すような、あらかじめＲＯＭ内に記憶されている複数（この実施例では４個）の電力移行カーブ（図１０（а）の（１）〜（４）が対応）にしたがって、出力電力指令値を制御している。つまり、調光信号に応じて、電力移行カーブ（１）〜（４）のいずれかを選択するとともに、調光時始動電力の出力時間を図１０（ｂ）のように変化させる。このような調光時過渡電力制御手段により、図１１（а）の（１）〜（４）に示すような出力電力指令値を出力させて、これに比例した電力をコンバータ２から出力させる。このときの、ＨＩＤ５の光束は、図１１（ｂ）に示すように、調光信号にかかわらず、光束の立ち上りはＦＵＬＬ点灯時と同じとなり、所定の光束に達した後に、一定光束を保持することができる。
【００２３】
本実施形態の放電灯点灯装置の電力制御部は、調光時始動電力を出力させる時間を調光時安定電力に応じて曲線的に可変できる調光時過渡電力制御手段を有しているので調光信号にかかわらず、光束の立ち上りはＦＵＬＬ点灯時と同じとなり、所定の光束に達した後に、一定光束を保持することができる。したがって、調光時でも光束の最初の立ち上りが変化することなく、違和感を与えにくくなる。
【００２４】
さらに、電力制御部は、前記調光時始動電力を出力させる時間を前記調光時安定電力に応じて曲線的に可変できる調光時過渡電力制御手段を有しているので、前記効果をさらに確実なものとすることができる。
【００２５】
（実施形態５）
実施形態５の放電灯点灯装置を図１２、１３に基づいて説明する。本実施形態の放電灯点灯装置のブロック図は、実施形態３のものと略同じであるが、図１２に示すように、調光部９からの調光信号により電力指令発生部７２、電力指令演算部ＤＩＭ７８、最大電力制限部７５を制御していることが相異している。つまり、調光部９からの調光信号によって、電力指令演算部ＤＩＭ７８では調光時安定出力を変化させ、最大電力制限部７５では最大電力の制限値を変化させている。
【００２６】
これにより、調光信号に応じて、図１３（ａ）に示すように電力指令発生値の時間変化させる。さらに、図１３（ｂ）に示すような出力電力指令値を出力することにより、調光時始動電力及びの出力時間を変化させる。この結果として、ＨＩＤ５の光束は、図１３（ｃ）に示すように、調光信号にかかわらず、所定の光束に達するまでの時間を一定とするようことがてきる。このために、調光時でも光束の最初の立ち上りまでの時間が変化することなく、違和感を与えにくくなる。
【００２７】
（実施形態６）
実施形態６の放電灯点灯装置を図１４〜１８に基づいて説明する。本実施形態の放電灯点灯装置は、実施形態４のものと略同じであるが、図１４に示すように、マイコンを用いた電力制御部８の内部のＲＯＭの出力に対して最大ＭＩＮ制限の機能が付加されている。また、電力制御部８のマイコンは、図１５に示すようなフローチャートの動作をする。このために、図１６に示すように、出力電力指令値の時間変化は、調光信号に応じて、所定の調光時安定電力値対応値を保持するようになる。したがって、調光時始動電力の出力時間を変更しなくても、光束が一時的に大きくなるいわゆる「光束のオーバーシュート」が抑制される。
【００２８】
さらに、図１７に示すようなＨＩＤ５のランプ電圧に応じて調光時安定電力を変化させる機能を電力制御部８に付加することにより、電力指令値の時間変化を図１８に示すように設定するすることができる。したがって、ランプ電圧が所定値（本実施形態では115Ｖ）以下になることが抑制され、ＨＩＤの経時変化によらず、安定に調光することができる。
【００２９】
（実施形態７）
実施形態７の放電灯点灯装置を図１９〜２２に基づいて説明する。本実施形態の放電灯点灯装置は、実施形態５のものと略同じであるが、図１９に示すように、マイコンを用いた電力制御部８の内部のＲＯＭの出力に対して最大電力ＭＩＮ制限の機能が付加されている。また、この電力制御部８のマイコンは図２０に示すようなフローチャートの動作をする。このために、図２１（ａ）に示すように、出力電力指令値は最大電力ＭＩＮ値以下になることがないように制御される。つまり、調光信号が小さくなるほど、出力電力指令値の最大値（調光時始動電力対応値）と最小値（調光時安定電力対応値）は減少していく（電力移行カーブ（１）から電力カーブ（５）へと移行していく）。さらに、調光信号が小さくなると、電力指令値の最大値は減少することなく、その印加時間のみが減少していく（電力カーブ（６）から電力カーブ（８）へと移行していく）。この結果として、光束の時間変化は、図２１（ｂ）のように、調光電力に応じて変化していく。
【００３０】
本実施形態の放電灯点灯装置は、電力指令値の最小値を一定値以上としているので、調光電力を小さくした場合でも、点灯直後のランプ電力が低下しすぎるのを防止することができて、始動性の低下を抑制することができる。
【００３１】
（実施形態８）
実施形態８の放電灯点灯装置を図２２〜２９に基づいて説明する。本実施形態の放電灯点灯装置は、実施形態４のものと略同じであるが、図２２に示すように、マイコンを用いた電力制御部８内のＲＯＭの出力に対してランプ電流指令演算の機能が付加されているとともに、停止時間計測タイマ８１と、調光状態保存回路８２が付加されている。ここで、停止時間計測タイマ８１と調光状態保存回路８２は、ともに、コンデンサ、抵抗、トランジスタを組合せたものであり、コンデンサの電荷量によって、時間を計測する機能を備えている。まず、停止時間計測タイマ８１は、図２３（ａ）に示すように、放電灯点灯装置の電源が停止（消灯）してから、再度点灯するまでの時間をコンデンサ電圧値Ｃv1として記憶している。つまり、コンデンサ電圧値Ｃv1の測定値であるＶoから消灯時間ｔを知ることができる。
【００３２】
また、調光状態保存回路８２では、図２３（ｂ）に示すように、消灯時の出力電力をコンデンサ電圧値Ｃv2として記憶している。まず、消灯時のコンデンサ電圧値Ｃv2は出力電力に依存し、そして時間の経過とともに減少していく。例えば、コンデンサ電圧値Ｃv2の測定値がそれぞれＶ1、Ｖ2、Ｖ3、Ｖ4、Ｖ5であれば、消灯時間ｔで演算処理することにより、各々に応じた消灯時の出力電力を知ることができる。
【００３３】
この放電灯点灯装置の動作は、図２４のフローチャートに示すように、消灯時間と消灯時の出力電力に応じて、調光時始動電力の出力時間を低減している。つまり、まず、図２５（ａ）に示すように、消灯時間によって調光時始動電力の出力時間を求める。次に、図２５（ｂ）に示すように、消灯時の出力電力（最大値との相対比）によって決まる出力時間低減量を先の出力時間から差し引くことにより、調光時始動電力の出力時間を決めている。
【００３４】
本実施形態の放電灯点灯装置の動作例を図２６に示す。最初に点灯した後に、図２６の（Ｐ）の出力電力状態において時間Ｔで消灯して、時間ｔ後に再点灯した場合、図２６の（Ｑ）に示すように、消灯時間ｔ及び消灯時の出力電力から決まる出力時間だけ、調光時始動電力を出力した後に、調光時移行電力へと移行していく。つまり、再点灯した場合、調光時始動電力を出力時間は、最初に点灯した時よりも消灯時間と消灯時電力に応じて短くなっている。
【００３５】
本実施形態の放電灯点灯装置は、電力変換装置の消灯時の安定時点灯時電力又は調光信号を記憶して、再始動時には消灯時の安定時点灯時電力又は調光信号に応じて、再始動直後の出力電力を可変とするものであるので、放電灯点灯装置の電源を停止した後に、短時間で再始動させたときの始動性と立上がり特性とを向上することができる。
【００３６】
（実施形態９）
実施形態９の放電灯点灯装置を図２７〜２９に基づいて説明する。本実施形態の放電灯点灯装置は、実施形態４のものと略同じであるが、図２７に示すように、マイコンを用いた電力制御部８内のＲＯＭの出力に対して電力移行カーブ演算部と、最大電力ＭＩＮ制限の機能が付加されるとともに、調光部９によって電力移行カーブ演算部が制御されている。また、この放電灯点灯装置の動作は、図２８のフローチャートに示すように、予めＲＯＭで記憶している電力移行カーブの数値を調光電圧によって演算することで、出力電力を設定している。つまり、任意の調光時の出力電力は、（記憶電力移行カーブの設定値×調光電圧÷定格電力）となる。さらに、最大電力ＭＩＮ値を設定した場合には、演算処理の結果として、調光時始動電力が最大電力ＭＩＮ値以下の数値となったときは、調光時始動電力の出力時間を短くすることで対応している。この結果として、出力電力指令値は、図２９（ａ）に示すように、定格時（ａ）に相似して、調光時安定電力が小さくなるほど（ｂ）→（ｆ）のように時間変化をする。この結果として、ＨＩＤの光束の時間変化は、調光時安定電力に応じて図２９（ｂ）に示す（ａ）→（ｆ）のようになる。
【００３７】
本実施形態の放電灯点灯装置は、電力制御部は、過渡時電力を、前記所定過渡電力に前記調光時出力電力乗じて前記で定格時安定電力除した数値に依存して設定するものであるので、容易に電力カーブを設定することが可能となり、電力制御部に使用するマイコンを安価なものとすることができる。
【図面の簡単な説明】
【００３８】
【図１】実施形態１の放電灯点灯装置のブロック図である。
【図２】実施形態１の放電灯点灯装置の電力指令発生値（ａ）と出力電力指令値（ｂ）の時間変化を示す図である。
【図３】実施形態２の放電灯点灯装置の電力指令発生値（ａ）と出力電力指令値（ｂ）の時間変化を示す図である。
【図４】実施形態２の放電灯点灯装置のランプ電圧と閾値電圧との関係を示す図である。
【図５】実施形態２の他の放電灯点灯装置の電力指令発生値（ａ）と出力電力指令値（ｂ）の時間変化を示す図である。
【図６】実施形態３の放電灯点灯装置のブロック図である。
【図７】実施形態３の放電灯点灯装置の電力指令発生値（ａ）と出力電力指令値（ｂ）の時間変化を示す図である。
【図８】実施形態４の放電灯点灯装置のブロック図である。
【図９】実施形態４の放電灯点灯装置の動作を示すフローチャートである。
【図１０】実施形態４の放電灯点灯装置の電力移行カーブの時間変化を示す図（ａ）と、調光時始動電力の出力時間と調光時安定電力との関係を示す図（ｂ）である。
【図１１】実施形態４の放電灯点灯装置の出力電力指令値（ａ）と光束（ｂ）の時間変化を示す図である。
【図１２】実施形態５の放電灯点灯装置のブロック図である。
【図１３】実施形態５の放電灯点灯装置の電力指令発生値（ａ）と、出力電力指令値（ｂ）と、光束（ｃ）の時間変化を示す図である。
【図１４】実施形態６の放電灯点灯装置のブロック図である。
【図１５】実施形態６の放電灯点灯装置の動作を示すフローチャートである。
【図１６】実施形態６の放電灯点灯装置の出力電力指令値に対応する電力以降カーブを示す図である。
【図１７】実施形態６の放電灯点灯装置のランプ電圧と最小電力制限値との関係を示す図である。
【図１８】実施形態６の放電灯点灯装置の出力電力指令値の時間変化を示す図である。
【図１９】実施形態７の放電灯点灯装置のブロック図である。
【図２０】実施形態７の放電灯点灯装置の動作を示すフローチャートである。
【図２１】実施形態７の放電灯点灯装置の電力指令発生値（ａ）と、光束（ｂ）の時間変化を示す図である。
【図２２】実施形態８の放電灯点灯装置のブロック図である。
【図２３】実施形態８の放電灯点灯装置の消灯時間タイマ（ａ）と調光状態保存回路（ｂ）のコンデンサ電圧の時間変化を示す図である。
【図２４】実施形態８の放電灯点灯装置の動作を示すフローチャートである。
【図２５】実施形態８の放電灯点灯装置の調光時始動電力保持低減時間と消灯時間の関係を示す図（ａ）と、調光時始動電力保持低減時間と消灯時の調光時安定電力の関係を示す図（ｂ）である。
【図２６】実施形態８の放電灯点灯装置の出力電力の時間変化を示すグラフである。
【図２７】実施形態９の放電灯点灯装置のブロック図である。
【図２８】実施形態９の放電灯点灯装置の動作を示すフローチャートである。
【図２９】実施形態９の放電灯点灯装置の電力指令発生値（ａ）と、光束（ｂ）の時間変化を示す図である。
【図３０】従来例の放電灯点灯装置のブロック図である。
【図３１】従来例の放電灯点灯装置の出力電力の時間変化を示すグラフである。
【符号の説明】
【００３９】
１        入力電源（電池）
２        コンバータ
３        インバータ
４        イグナイタ
５        ＨＩＤ（ランプ）
６        電源電圧監視部
７        電力制御部
７１      電力指令発生部
７２      電流指令演算部
７３      最大電流制御部
７４      誤差アンプ
７５      最大電流制限部
７６      最小電力制限部
７７      最小電力制限部
７８      電力指令演算部ＤＩＭ
８        マイコン（電力制御部）
８１      停止時間計測タイマ
８２      調光状態保存回路
９        調光部
【図１】
2005100787.tif 000003
【図２】
2005100787.tif 000004
【図３】
2005100787.tif 000005
【図４】
2005100787.tif 000006
【図５】
2005100787.tif 000007
【図６】
2005100787.tif 000008
【図７】
2005100787.tif 000009
【図８】
2005100787.tif 000010
【図９】
2005100787.tif 000011
【図１０】
2005100787.tif 000012
【図１１】
2005100787.tif 000013
【図１２】
2005100787.tif 000014
【図１３】
2005100787.tif 000015
【図１４】
2005100787.tif 000016
【図１５】
2005100787.tif 000017
【図１６】
2005100787.tif 000018
【図１７】
2005100787.tif 000019
【図１８】
2005100787.tif 000020
【図１９】
2005100787.tif 000021
【図２０】
2005100787.tif 000022
【図２１】
2005100787.tif 000023
【図２２】
2005100787.tif 000024
【図２３】
2005100787.tif 000025
【図２４】
2005100787.tif 000026
【図２５】
2005100787.tif 000027
【図２６】
2005100787.tif 000028
【図２７】
2005100787.tif 000029
【図２８】
2005100787.tif 000030
【図２９】
2005100787.tif 000031
【図３０】
2005100787.tif 000032
【図３１】
2005100787.tif 000033